(57)【要約】【課題】被記録媒体に記録をする際において、該被記録媒体の端部の毛羽の影響を抑制する。【解決手段】被記録媒体Ｐを支持して搬送可能な粘着性ベルト１０と、前記粘着性ベルト１０に支持された前記被記録媒体Ｐにインクを吐出して記録可能な記録ヘッド７と、前記記録ヘッド７よりも前記被記録媒体Ｐの搬送方向Ａの上流側に設けられ、該搬送方向Ａと交差する交差方向Ｂの該被記録媒体Ｐの端部２５の毛羽２２を該交差方向Ｂにおける該被記録媒体Ｐの外側方向に誘導する誘導部１９と、を備える。【選択図】図２
2014168880.tif 000002
【特許請求の範囲】
【請求項１】
被記録媒体を支持して搬送可能な粘着性ベルトと、
前記粘着性ベルトに支持された前記被記録媒体にインクを吐出して記録可能な記録ヘッドと、
前記記録ヘッドよりも前記被記録媒体の搬送方向の上流側に設けられ、該搬送方向と交差する交差方向の該被記録媒体の端部の毛羽を該交差方向における該被記録媒体の外側方向に誘導する誘導部と、を備えることを特徴とする記録装置。
【請求項２】
請求項１に記載の記録装置において、
前記毛羽を前記粘着性ベルトに付着させる毛羽付着部を備えることを特徴とする記録装置。
【請求項３】
請求項１又は２に記載の記録装置において、
前記誘導部は、前記粘着性ベルトと対向する位置に前記端部と接触可能に設けられ、前記搬送方向の上流側の該端部との接触部の形状が該粘着性ベルトの内側から外側に向けて該搬送方向の下流側に向かって傾斜していることを特徴とする記録装置。
【請求項４】
請求項１又は２に記載の記録装置において、
前記誘導部は、前記粘着性ベルトと対向する位置に前記端部と接触可能に設けられ、前記搬送方向を回転軸の方向として該粘着性ベルトの内側から外側に向けて該端部との接触部が移動するよう構成された回転体であることを特徴とする記録装置。
【請求項５】
請求項４に記載の記録装置において、
前記回転体は、前記端部と接触可能なネジ山が構成された螺旋形状をしていることを特徴とする記録装置。
【請求項６】
請求項２に記載の記録装置において、
前記毛羽付着部は、前記粘着性ベルトと対向する位置に前記端部と接触可能に設けられたリブであり、該リブの形状が該粘着性ベルトの内側から外側に向けて該搬送方向の下流側に向かって傾斜していることを特徴とする記録装置。
【請求項７】
請求項１から６のいずれか１項に記載の記録装置において、
前記誘導部の構成部材はいずれも前記記録ヘッドよりも前記搬送方向の上流側に設けられていることを特徴とする記録装置。
【請求項８】
請求項１から７のいずれか１項に記載の記録装置において、
前記誘導部は、前記粘着性ベルトと接近及び離間する方向に移動可能であり、
前記記録ヘッドは、前記誘導部と連動して前記粘着性ベルトと接近及び離間する方向に移動可能であることを特徴とする記録装置。
【請求項９】
請求項１から８のいずれか１項に記載の記録装置において、
前記誘導部は前記交差方向に移動可能であることを特徴とする記録装置。
【請求項１０】
請求項１から９のいずれか１項に記載の記録装置において、
前記記録ヘッドは、前記交差方向に往復移動可能なキャリッジに搭載されて往復走査することにより前記被記録媒体に記録可能であり、
前記キャリッジにはセンサーが設けられ、
前記センサーは、前記誘導部を検出することにより前記記録ヘッドによる前記被記録媒体の前記交差方向における記録可能領域の端部を検出可能であることを特徴とする記録装置。
【発明の詳細な説明】
【技術分野】
【０００１】
本発明は、被記録媒体を粘着性ベルトにより搬送する搬送機構を備える記録装置に関する。
【背景技術】
【０００２】
従来から、被記録媒体を移動式ベルトに載置して搬送する搬送機構を備える記録装置が使用されている。このような記録装置のうち、移動式ベルトとして被記録媒体の載置面に該被記録媒体を剥離可能に接着して保持する粘着剤が付着された粘着性ベルトを備える記録装置が開示されている。例えば、特許文献１には、被記録媒体を粘着固定して搬送する無端ベルトを備える記録装置が開示されている。また、このような被記録媒体を粘着性ベルトにより搬送する記録装置の別の例として、特許文献２には、被記録媒体の浮き上がりを押さえる押さえ部材を備える記録装置が開示されている。
【先行技術文献】
【特許文献】
【０００３】
【特許文献１】特開２０１０−２５５１３３号公報
【特許文献２】特開２０１０−２６４５９６号公報
【発明の概要】
【発明が解決しようとする課題】
【０００４】
被記録媒体には様々な種類があり、繊維状の材料を有する被記録媒体においては、端部が毛羽立っていることがある。このような端部が毛羽立っている被記録媒体に記録を行う場合、毛羽と記録ヘッドとが干渉してインクの吐出不良を生じさせることがあるほか、毛羽が被記録媒体の画像形成部分に及び記録ヘッドから吐出されたインクが毛羽に付着して画質を低下させることがある。  
しかしながら、特許文献１に開示される記録装置は、このような被記録媒体の端部の毛羽の影響を抑制する構成にはなっていない。また、特許文献２に開示される記録装置は、毛羽と記録ヘッドとの干渉は抑制できたとしても、毛羽が被記録媒体の画像形成部分に及ぶ可能性があり、毛羽が被記録媒体の画像形成部分に及んだ場合の画質の低下を抑制する構成にはなっていない。  
このように、従来の記録装置は、被記録媒体に記録をする際において、該被記録媒体の端部の毛羽の影響を抑制することが不十分であった。
【０００５】
そこで、本発明の目的は、被記録媒体に記録をする際において、該被記録媒体の端部の毛羽の影響を抑制することである。
【課題を解決するための手段】
【０００６】
上記課題を解決するための本発明の第１の態様の記録装置は、被記録媒体を支持して搬送可能な粘着性ベルトと、前記粘着性ベルトに支持された前記被記録媒体にインクを吐出して記録可能な記録ヘッドと、前記記録ヘッドよりも前記被記録媒体の搬送方向の上流側に設けられ、該搬送方向と交差する交差方向の該被記録媒体の端部の毛羽を該交差方向における該被記録媒体の外側方向に誘導する誘導部と、を備えることを特徴とする。
【０００７】
ここで、「粘着性ベルト」とは、被記録媒体の支持面に該被記録媒体を剥離可能に接着して保持する粘着剤が付着されたベルトを意味する。また、「前記記録ヘッドよりも前記被記録媒体の搬送方向の上流側」とは、前記記録ヘッドのインクを吐出する領域（例えばインクを吐出する複数のノズルからなるノズル列等）に対応する記録可能領域よりも前記被記録媒体の搬送方向の上流側を意味する。  
また、前記誘導部が「前記記録ヘッドよりも前記被記録媒体の搬送方向の上流側に設けられ」とは、前記誘導部における前記毛羽を前記外側方向に誘導する部分が前記記録ヘッドにおける記録可能領域よりも前記搬送方向の上流側に設けられることを意味する。すなわち、前記誘導部における前記毛羽を前記外側方向に誘導する部分以外の部分が前記記録ヘッドにおける記録可能領域よりも前記搬送方向の上流側以外に設けられる構成であってもよい。
【０００８】
本態様によれば、前記被記録媒体の端部の毛羽を前記外側方向に誘導する誘導部を有する。このため、毛羽が被記録媒体の画像形成部分に及んでいても、被記録媒体に記録をする際において、これを前記外側方向に誘導して前記画像形成部分から移動させることができる。すなわち、被記録媒体に記録をする際において、該被記録媒体の端部の毛羽の影響を抑制することができる。
【０００９】
本発明の第２の態様の記録装置は、前記第１の態様において、前記毛羽を前記粘着性ベルトに付着させる毛羽付着部を備えることを特徴とする。
【００１０】
本態様によれば、前記毛羽を前記粘着性ベルトに付着させる毛羽付着部を備える。このため、毛羽が被記録媒体の画像形成部分に及んでいた場合に、これを前記外側方向に誘導して前記画像形成部分から移動させるとともに、移動させた毛羽が被記録媒体の画像形成部分に再び及ぶことを抑制することができる。  
なお、前記毛羽付着部は、前記誘導部と一体であっても別体であってもよい。
【００１１】
本発明の第３の態様の記録装置は、前記第１又は第２の態様において、前記誘導部は、前記粘着性ベルトと対向する位置に前記端部と接触可能に設けられ、前記搬送方向の上流側の該端部との接触部の形状が該粘着性ベルトの内側から外側に向けて該搬送方向の下流側に向かって傾斜していることを特徴とする。
【００１２】
本態様によれば、前記誘導部は、前記搬送方向の上流側の前記端部との接触部の形状が該粘着性ベルトの内側から外側に向けて該搬送方向の下流側に傾斜している。このため、簡単な構成で前記毛羽を前記外側方向に誘導して前記画像形成部分から移動させることができる。なお、前記端部との接触部の形状はカーブして傾斜していてもよい。
【００１３】
本発明の第４の態様の記録装置は、前記第１又は第２の態様において、前記誘導部は、前記粘着性ベルトと対向する位置に前記端部と接触可能に設けられ、前記搬送方向を回転軸の方向として該粘着性ベルトの内側から外側に向けて該端部との接触部が移動するよう構成された回転体であることを特徴とする。
【００１４】
本態様によれば、前記誘導部は、前記搬送方向を回転軸の方向として該粘着性ベルトの内側から外側に向けて該端部との接触部が移動するよう構成された回転体である。このため、高い精度で前記毛羽を前記外側方向に誘導して前記画像形成部分から移動させることができる。なお、回転体としては回転ブラシを好ましく用いることができる。
【００１５】
本発明の第５の態様の記録装置は、前記第４の態様において、前記回転体は、前記端部と接触可能なネジ山が構成された螺旋形状をしていることを特徴とする。
【００１６】
本態様によれば、前記回転体は、前記端部と接触可能なネジ山が構成された螺旋形状をしている。このため、簡単な構成で前記毛羽を前記外側方向に誘導して前記画像形成部分から移動させることができる。
【００１７】
本発明の第６の態様の記録装置は、前記第２の態様において、前記毛羽付着部は、前記粘着性ベルトと対向する位置に前記端部と接触可能に設けられたリブであり、該リブの形状が該粘着性ベルトの内側から外側に向けて該搬送方向の下流側に向かって傾斜していることを特徴とする。
【００１８】
本態様によれば、前記リブの形状は、前記粘着性ベルトの内側から外側に向けて該搬送方向の下流側に傾斜している。このため、簡単な構成で、毛羽が被記録媒体の画像形成部分に及んでいた場合に、これを前記外側方向に誘導しつつ前記毛羽を前記粘着性ベルトに付着させることができる。なお、前記リブの形状はカーブして傾斜していてもよい。
【００１９】
本発明の第７の態様の記録装置は、前記第１から第６のいずれか１つの態様において、前記誘導部の構成部材はいずれも前記記録ヘッドよりも前記搬送方向の上流側に設けられていることを特徴とする。
【００２０】
本態様によれば、前記誘導部の構成部材はいずれも前記記録ヘッドよりも前記搬送方向の上流側に設けられている。このため、被記録媒体の端部の毛羽の影響を抑制することができるとともに、前記搬送方向と交差する方向における被記録媒体の端部まで記録することができる。
【００２１】
本発明の第８の態様の記録装置は、前記第１から第７のいずれか１つの態様において、前記誘導部は、前記粘着性ベルトと接近及び離間する方向に移動可能であり、前記記録ヘッドは、前記誘導部と連動して前記粘着性ベルトと接近及び離間する方向に移動可能であることを特徴とする
【００２２】
本態様によれば、前記記録ヘッドは、前記被記録媒体と接触する前記誘導部と連動して前記粘着性ベルトと接近及び離間する方向に移動可能である。このため、様々な厚さの被記録媒体を用いても、前記記録ヘッドと前記粘着性ベルトに支持された前記被記録媒体との距離（ペーパーギャップ）を一定に保つことが可能になる。
【００２３】
本発明の第９の態様の記録装置は、前記第１から第８のいずれか１つの態様において、前記誘導部は前記交差方向に移動可能であることを特徴とする。
【００２４】
本態様によれば、前記誘導部は前記交差方向に移動可能であるので、様々な幅（前記交差方向の長さ）の被記録媒体に対応可能である。
【００２５】
本発明の第１０の態様の記録装置は、前記第１から第９のいずれか１つの態様において、前記記録ヘッドは、前記交差方向に往復移動可能なキャリッジに搭載されて往復走査することにより前記被記録媒体に記録可能であり、前記キャリッジにはセンサーが設けられ、前記センサーは、前記誘導部を検出することにより前記記録ヘッドによる前記被記録媒体の前記交差方向における記録可能領域の端部を検出可能であることを特徴とする。
【００２６】
本態様によれば、前記誘導部は、前記交差方向における記録可能領域を前記センサーで検出する際の検出部を兼ねる。このため、別途新たな構成部材を設けることなく、前記交差方向における記録可能領域を検出することが可能である。
【図面の簡単な説明】
【００２７】
【図１】本発明の実施例１の記録装置を表す概略側面図。
【図２】本発明の実施例１の記録装置の粘着性ベルトを表す概略斜視図。
【図３】本発明の実施例１の記録装置の誘導部の概略平面図。
【図４】本発明の実施例１の記録装置の誘導部の概略平面図。
【図５】本発明の実施例２の記録装置の粘着性ベルトを表す概略斜視図。
【図６】本発明の実施例３の記録装置の粘着性ベルトを表す概略斜視図。
【図７】本発明の実施例４の記録装置の粘着性ベルトを表す概略斜視図。
【発明を実施するための形態】
【００２８】
［実施例１］（図１〜図４）  
以下に、本発明の実施例に係る記録装置について、添付図面を参照して詳細に説明する。  
図１は本発明の実施例１に係る記録装置１の概略側面図である。
【００２９】
本実施例の記録装置１は、記録を行うための被記録媒体ＰのロールＲ１を繰り出すことが可能な繰出部２を備えている。また、粘着剤が付着された支持面Ｆで被記録媒体Ｐを支持する粘着性ベルト１０により被記録媒体Ｐを搬送方向Ａに搬送する搬送機構３を備えている。また、被記録媒体Ｐの搬送方向Ａと交差する交差方向Ｂに記録ヘッド７を往復走査させて記録する記録機構４を備えている。また、粘着性ベルト１０の洗浄機構１５を備えている。さらに、被記録媒体Ｐを巻き取る巻取軸１７と巻き取られている被記録媒体Ｐを切断するカッター１６とを有する巻取機構１８を備えている。
【００３０】
繰出部２は、記録を行うための被記録媒体ＰのロールＲ１のセット位置を兼ねる回転軸５を備え、回転軸５にセットされたロールＲ１から従動ローラー６を介して被記録媒体Ｐを搬送機構３に繰り出すことが可能な構成となっている。なお、被記録媒体Ｐを搬送機構３に繰り出す際、回転軸５は回転方向Ｃに回転する。
【００３１】
搬送機構３は、繰出部２から繰り出された被記録媒体Ｐを載置して搬送する粘着性ベルト１０と、粘着性ベルト１０を移動させる搬送ローラー８と従動ローラー９を備えている。被記録媒体Ｐは加圧ローラー１２により粘着性ベルト１０の支持面Ｆに加圧されて貼り付けられて載置される。なお、被記録媒体Ｐを搬送する際、搬送ローラー８は回転方向Ｃに回転する。
【００３２】
記録機構４は、記録ヘッド７と該記録ヘッド７を搭載するキャリッジ２４（図２参照）と、該キャリッジ２４を交差方向Ｂに往復移動させる不図示のキャリッジモーターを有している。なお、図１において交差方向Ｂは紙面に対して垂直方向である。  
記録の際、記録ヘッド７を往復走査させて記録するが、記録走査中（記録ヘッドの移動中）は、搬送機構３は被記録媒体Ｐの搬送を停止させる。別の表現をすると、記録の際、記録ヘッド７の往復走査と被記録媒体Ｐの搬送は交互に行われる。すなわち、記録の際、記録ヘッド７の往復走査に対応して、搬送機構３は被記録媒体Ｐを間欠搬送させている。  
本実施例の記録装置１では、記録ヘッド７を往復走査させて記録する記録機構４を備えているが、このような構成の記録機構に限定されず、搬送方向Ａと交差する方向にインクを吐出するノズル列を設けた所謂ラインヘッドを有する記録機構を備えていてもよい。
【００３３】
粘着性ベルト１０の洗浄機構１５は、複数の洗浄ローラーが回転軸方向に連結されて構成された洗浄ユニット１３と、洗浄ユニット１３を洗浄するための洗浄剤が入ったトレイ１４と、を有する。
【００３４】
巻取機構１８は、記録がなされ、従動ローラー１１を介して搬送機構３から搬送された被記録媒体Ｐを巻き取る機構であり、巻取軸１７に巻き取り用の紙管等をセットしてこれに該被記録媒体Ｐを巻き付けていくことにより、被記録媒体ＰのロールＲ２として巻き取ることができる。
【００３５】
次に、本実施例の記録装置１の粘着性ベルト１０の支持面Ｆに設けられた、搬送方向Ａと交差する交差方向Ｂの被記録媒体Ｐの端部２５の毛羽を該交差方向Ｂにおける該被記録媒体Ｐの外側方向に誘導する誘導部１９について説明する。  
図２は本実施例の記録装置１の粘着性ベルト１０を表す概略斜視図である。
【００３６】
本実施例の記録装置１の粘着性ベルト１０の支持面Ｆに対向する位置には、被記録媒体Ｐの幅に応じて交差方向Ｂに移動可能な誘導部１９が設けられている。ユーザーは、被記録媒体Ｐの幅に応じて、誘導部１９を被記録媒体Ｐの端部２５と接触する位置に移動させることができる。このように、誘導部１９は、粘着性ベルト１０と対向する位置に端部２５と接触可能に設けられている。そして、誘導部１９の搬送方向Ａの上流側の該端部２５との接触部は、該粘着性ベルト１０の内側から外側に向けて該搬送方向Ａの下流側に傾斜する傾斜形状２０となっている。
【００３７】
また、誘導部１９は、該誘導部１９における被記録媒体の端部２５の毛羽２２（図３参照）を外側方向に誘導する部分である傾斜形状２０が記録ヘッド７における記録可能領域Ｒよりも搬送方向Ａの上流側に位置するように設けられている。誘導部１９は、このような形状により、記録可能領域Ｒに被記録媒体Ｐが搬送される前に被記録媒体Ｐの端部２５の毛羽２２を外側方向に誘導できる。
【００３８】
一方、誘導部１９は、誘導部１９の一部が記録可能領域Ｒと重なるように設けられている。また、記録ヘッド７を搭載するキャリッジ２４には光学センサー２３が設けられている。本実施例の記録装置１はこのような構成であるので、光学センサー２３は、キャリッジ２４と共に前記交差方向Ｂに移動することによって誘導部１９を検出することにより、記録ヘッド７による被記録媒体Ｐの交差方向Ｂにおける記録可能領域Ｒの端部を検出可能である。
【００３９】
また、本実施例の記録装置１では、不図示の移動機構により、記録ヘッド７は、誘導部１９と連動して粘着性ベルト１０と接近及び離間する方向に移動可能な構成となっている。このため、様々な厚さの被記録媒体Ｐを用いても、記録ヘッド７と粘着性ベルト１０に支持された被記録媒体Ｐとの距離（ペーパーギャップ）を一定に保つことができる。
【００４０】
次に、誘導部１９に設けられた、被記録媒体Ｐの毛羽を粘着性ベルト１０に付着させる毛羽付着部としてのリブ２１について説明する。  
図３及び図４は、本実施例の記録装置１の誘導部１９の概略平面図である。図３は、誘導部１９と被記録媒体Ｐとが接触を開始した状態を表す図である。図４は、図３の状態から被記録媒体Ｐが搬送方向Ａに搬送され、誘導部１９に設けられたリブ２１と被記録媒体Ｐとが接触し、リブ２１が被記録媒体Ｐの毛羽２２を粘着性ベルト１０に付着させている状態を表す図である。
【００４１】
図３及び図４で示されるように、毛羽２２は、傾斜形状２０における被記録媒体Ｐの端部２５との接触開始位置Ｓを基準に、被記録媒体Ｐの搬送と共に被記録媒体Ｐの外側方向に誘導される。そして、該被記録媒体Ｐの外側方向に誘導された毛羽２２は、誘導部１９に設けられたリブ２１と接触することによってさらに外側方向に誘導されつつ粘着性ベルト１０に付着させられる。なお、本実施例の記録装置１では、毛羽付着部としてのリブ２１は粘着性ベルト１０の内側から外側に向けて搬送方向Ａの下流側に傾斜している構成となっているが、毛羽付着部はこのような構成に限定されない。
【００４２】
［実施例２］（図５）  
次に、本発明の実施例２に係る記録装置について説明する。  
図５は、本発明の実施例２に係る記録装置１の概略斜視図である。なお、上記実施例と共通する構成部材は同じ符号で示しており、詳細な説明は省略する。  
本実施例の記録装置１は、誘導部１９の位置のみが実施例１の記録装置１と相違する。
【００４３】
本実施例の記録装置１は、実施例１の記録装置１よりも誘導部１９がさらに搬送方向Ａの上流側に設けられている。すなわち、誘導部１９の傾斜形状２０のみでなく、リブ２１を含むすべての構成部材が、記録ヘッド７における記録可能領域Ｒよりも搬送方向Ａの上流側に位置するように設けられている。本実施例の記録装置１は、このような構成により、被記録媒体Ｐの端部２５の毛羽２２の影響を抑制することができるとともに、搬送方向Ａと交差する交差方向Ｂにおける被記録媒体Ｐの端部２５まで記録することができる。
【００４４】
［実施例３］（図６）  
次に、本発明の実施例３に係る記録装置について説明する。  
図６は、本発明の実施例３に係る記録装置１の概略斜視図である。なお、上記実施例と共通する構成部材は同じ符号で示しており、詳細な説明は省略する。  
本実施例の記録装置１は、誘導部として回転体である回転ブラシ２６を備えていることのみが実施例２の記録装置１と相違する。
【００４５】
本実施例の記録装置１は、実施例２の記録装置１における誘導部１９の代わりに、毛羽付着部としての役割を兼ねた、回転ブラシ２６を備えている。回転ブラシ２６は、搬送方向Ａを回転軸の方向として粘着性ベルト１０の内側から外側に向けて端部２５との接触部が移動するよう回転方向Ｄに回転する。この回転ブラシ２６の回転により、毛羽２２を被記録媒体Ｐの外側方向に誘導するとともに、誘導された毛羽２２を粘着性ベルト１０に付着させる。
【００４６】
［実施例４］（図７）  
次に、本発明の実施例４に係る記録装置について説明する。  
図７は、本発明の実施例４に係る記録装置１の概略斜視図である。なお、上記実施例と共通する構成部材は同じ符号で示しており、詳細な説明は省略する。  
本実施例の記録装置１は、端部２５との接触部としてネジ山が構成された螺旋形状をしている回転体を備えていることのみが実施例３の記録装置１と相違する。
【００４７】
本実施例の記録装置１は、実施例３の記録装置１における回転ブラシ２６の代わりに、毛羽付着部としての役割を兼ねた、ネジ山２８が構成された螺旋形状の誘導部２７を備えている。毛羽２２は、被記録媒体Ｐの搬送方向Ａの搬送に伴って該ネジ山２８と接触することにより被記録媒体Ｐの外側方向に誘導され、誘導された毛羽２２は、そのまま粘着性ベルト１０に付着される。
【００４８】
（変形例１）  
上記実施例１及び２の記録装置１において、誘導部１９は、粘着性ベルトの内側から外側に向けて搬送方向の下流側に向かって傾斜し、かつ下流側への傾斜に伴い厚みが厚くなっていてもよい。毛羽を起こして誘導することができ、毛羽の重なりを低減することが可能である。
【符号の説明】
【００４９】
１…記録装置、２…繰出部、３…搬送機構、４…記録機構、５…繰出部２の回転軸、
６…従動ローラー、７…記録ヘッド、８…搬送ローラー、９…従動ローラー、
１０…粘着性ベルト、１１…従動ローラー、１２…加圧ローラー、
１３…洗浄ユニット、１４…トレイ、１５…洗浄機構、１６…カッター、
１７…巻取軸、１８…巻取機構、１９…誘導部、２０…傾斜形状、２１…リブ、
２２…毛羽、２３…光学センサー、２４…キャリッジ、２５…被記録媒体Ｐの端部、
２６…回転ブラシ（誘導部）、２７…螺旋形状の誘導部、２８…ネジ山、
Ｆ…粘着性ベルト１０の支持面、Ｐ…被記録媒体、Ｒ…記録可能領域、
Ｓ…接触開始位置
【図１】
2014168880.tif 000003
【図２】
2014168880.tif 000004
【図３】
2014168880.tif 000005
【図４】
2014168880.tif 000006
【図５】
2014168880.tif 000007
【図６】
2014168880.tif 000008
【図７】
2014168880.tif 000009